(57)【要約】【課題】  最低限の大きさで発振器筐体及び電池の両方を固定し得る板状保持構造体及びこれを備えた電子時計を提供すること【解決手段】  電子時計１の板状保持構造体５０は、時計本体２の主面に対して実質的に直角になるように且つ該主面の延在方向に沿って延在するように時計本体２の機枠１４に装着に装着される全体として細長い板バネ５１からなる保持構造体５０であって、一端部に電池５に対して圧接される電池押え部５３を備えると共に他端部に発振器３０の筐体３１に対して圧接される発振器筐体押え部５４を備え、二つの押え部５３，５４の中間部５２が機枠本体１４に支持された支点部１８によって支持されるように構成される。【選択図】  図３
2006184240.tif 000002
【特許請求の範囲】
【請求項１】
時計本体の主面に対して実質的に直角になるように且つ該主面の延在方向に沿って延在するように時計本体の機枠に装着される全体として細長い板バネからなる保持構造体であって、
一端部に電池に対して圧接される電池押え部を備えると共に他端部に発振器の筐体に対して圧接される発振器筐体押え部を備え、二つの押え部の中間部が機枠本体に支持された支点部により支えられるべく構成された板状保持構造体。
【請求項２】
前記中間部が時計本体の機枠の溝部又は突起部間に挟まれて前記時計本体の機枠により支持されるように構成された請求項１に記載の板状保持構造体。
【請求項３】
前記中間部が巻真に係合される巻真係合部を有し、該巻真を介して機枠によって支持されるべく構成された請求項１に記載の板状保持構造体。
【請求項４】
前記巻真係合部が、前記中間部の一側縁に形成され、巻真の大径のソロバン玉状部に隣接した小径部に弾性的に係合され、前記巻真の出し入れの際に前記ソロバン玉状部によって弾性変形されて前記ソロバン玉状部の通過を許容する巻真位置決め係合部からなる請求項３に記載の板状保持構造体。
【請求項５】
請求項１から４までのいずれか一つの項に記載の板状保持構造体を備えた電子時計。
【請求項６】
板状保持構造体が、リセットレバーに対して非リセット位置からリセット位置への偏倚力を及ぼすリセットレバー偏倚バネ部を一側縁に備える請求項５に記載の電子時計。
【発明の詳細な説明】
【技術分野】
【０００１】
本発明は、時計の発振器の筐体や電池を保持する板状保持構造体及びこれを備えた電子時計に係る。
【背景技術】
【０００２】
電子時計において、時計本体の主面に平行に延びる本体部を備えた金属製の板状保持構造体を該本体部において熱カシメピンやネジ等で機枠に固定し、且つ該本体部から延設された水晶発振器本体支持バネ部で水晶発振器の本体部ないし筐体を地板に押付けて固定すると共に該本体部に対して直角に折り曲げられて延設された電池プラス端子部分を電池の正極の周面に押付けることは、提案されている（特許文献１及び２）。このような電池プラス端子は、多少なりとも、電池を電池収容凹部内で位置決め・固定する機能を有する。また、水晶発振器の本体部ないし筐体を地板の発振器収納溝部に収納する共に該発振器筐体を輪列受の表面側において時計本体の主面にほぼ平行に延びた板バネ状の押え板で溝部内に押付けることにより発振器筐体を固定することは提案されている（特許文献３）。
【０００３】
しかしながら、特許文献１の板状保持構造体では、各部は本体部から枝分かれして延びるものであることから、水晶発振器本体支持バネ部及び電池プラス端子部分のバネ部分とが、独立にバネ力を備える必要があり、十分なバネ力を有するように、サイズが大きくなり易い。また、アナログ式の電子時計の場合、輪列機構を中央部に含む時計本体のほぼ全体にわたって該時計本体の主面に平行に板状保持構造体の本体部が延在することになるので、板状保持構造体の本体部が大きな占有面積を占めるのを避け難い。
【０００４】
なお、一端で電池に押付けられ他端で回路基板に押付けられるように構成された板バネ状の電池接続構造体は、提案されている（特許文献３）
【特許文献１】特開２０００−８１４９１号公報（図１７等）
【特許文献２】特開平１１−４４７７４号公報（図１及び図２等）
【特許文献３】特開２００１−７４８６９号公報（図３及び図４等）
【特許文献４】特開平７−１６９４５１号公報
【発明の開示】
【発明が解決しようとする課題】
【０００５】
本発明は、前記した点に鑑みなされたものであって、その目的とするところは、最低限の大きさで発振器筐体及び電池の両方を固定し得る板状保持構造体及びこれを備えた電子時計を提供することにある。
【課題を解決するための手段】
【０００６】
本発明の板状保持構造体は、前記目的を達成すべく、時計本体の主面に対して実質的に直角になるように且つ該主面の延在方向に沿って延在するように時計本体の機枠に装着される全体として細長い板バネからなる保持構造体であって、一端部に電池に対して圧接される電池押え部を備えると共に他端部に発振器の筐体に対して圧接される発振器筐体押え部を備え、二つの押え部の中間部が機枠本体に支持された支点部により支えられるべく構成される。
【０００７】
本発明の板状保持構造体は、細長い板バネが時計本体の主面に対して実質的に直角になるように且つ該主面の延在方向に沿って延在するように時計本体の機枠に装着されるものであるから、時計本体の主面の延在方向で見た占有面積が最低限に抑えられ得る。また、本発明の板状保持構造体は、細長い板バネからなり、一端部に電池に対して圧接される電池押え部を備えると共に他端部に発振器の筐体に対して圧接される発振器筐体押え部を備え、二つの押え部の中間部が機枠本体に支持された支点部により支えられるべく構成されるので、発振器筐体の押圧保持に要する力がそのまま電池の押圧保持に利用され得、且つ電池の押圧保持に要する力がそのまま発振器筐体の押圧保持に利用され得る。従って、板状保持構造体を構成する細長い板バネが全体として所望の押圧力を付与し得る特性を備えるだけでよいから、その製造も容易になる。ここで、当然ながら、発振器筐体や電池が載置される機枠は、板状構造体の関連する押え部によって時計本体の主面の延在方向に発振器筐体や電池が受ける押圧力を支える受部ないし突出部（凹部の周壁部を含む）が形成される。機枠としては、地板でも輪列受でもケースに対して静置される他の部分でもよい。
【０００８】
なお、板状構造体は、その板の主面が時計本体の主面に対して実質的に直角である限り、平板状でもよいけれども、典型的には、電池の押圧・保持や発振器筐体の押圧・保持に適するように、夫々の押え部が中間部に対して折り曲げられ又は湾曲される。
【０００９】
板状構造体の二つの押え部の中間部は、機枠本体に支持された支点部により支えられる。ここで、板状構造体の全体が一つの板バネとして働く。但し、所望ならば、板状構造体の中間部が支点部によってある程度は保持されもよい。その場合、発振器筐体の押圧保持に要する力や電池の押圧保持に要する力が、部分的には、該二つの押え部の中間部が機枠本体に支持された支点部により支えられる。但し、電池に対する押圧力の反力に起因するモーメントの少なくとも一部は発振器筐体によって支えられ、発振器筐体に対する押圧力の反力に起因するモーメントの少なくとも一部は電池によって支えられ、但し、相互に他方があることにより、支持が安定になることは前述の通りである。
【００１０】
本発明の板状保持構造体では、該板状保持構造体が機枠によって直接的に支持される場合、典型的には、中間部が時計本体の機枠の支点部として働く溝部又は突起部間に挟まれて時計本体の機枠により支持される。このような簡便な支持構造が可能になるのは、板状保持構造体の主面が時計本体の主面に実質的に直角になるように板状保持構造体が配設されていることによる。
【００１１】
本発明の板状保持構造体では、該板状保持構造体が機枠によって間接的に支持される場合、典型的には、中間部が巻真に係合される巻真係合部を有し、板状保持構造体は支点部となる巻真を介して機枠によって支持される。この場合、典型的には、巻真係合部が、中間部の一側縁に形成され、巻真の大径のソロバン玉状部に隣接した小径部に弾性的に係合され、巻真の出し入れの際にソロバン玉状部によって弾性変形されてソロバン玉状部の通過を許容する巻真位置決め係合部からなる。この場合、巻真係合部が、巻真を位置決めする機能とと板状保持構造体の支点を与える機能との両方の機能を備える。但し、板状保持構造体を間接的に支持するものは、巻真以外の他の時計部品でもよい。
【００１２】
本発明の電子時計は、以上のように構成された板状保持板状保持構造体を備える。
【００１３】
本発明の電子時計では、板状保持構造体が、リセットレバーに対して非リセット位置からリセット位置への偏倚力を及ぼすリセットレバー偏倚バネ部を一側縁に備えていてもよい。
【発明を実施するための最良の形態】
【００１４】
次に、本発明の好ましい一実施の形態を添付図面に示した好ましい一実施例に基づいて説明する。
【実施例】
【００１５】
電子時計１の時計本体２は、機枠を構成する地板１０を備える。以下では、説明の簡明化のために、地板１０に固定した三次元直交座標系を採る。ここで、巻真２０の引出し方向Ａ１（３時側）をＸ方向とし、図１において右方向（１２時側）をＹ方向、図面に垂直に図の奥の方向をＺ方向とする。Ｚ方向は、文字板１２（図２参照）のある側に一致する。ここで、ＸＹ平面は、時計本体２の主面と平行であり、Ｚ軸の方向は、時計本体２の主面に垂直な方向である。図１及び図２において、Ｃは、時計本体２の輪列機構３につながった時刻表示針１３（即ち、時針１３ａ，分針１３ｂ，秒針１３ｃ）の回転中心軸線である。ここで、時計本体２は、時計１からケースなどの外装部分を除いた部分を指す。
【００１６】
地板１０は、該地板１０の−Ｚ側表面１０ａの夫々の位置に位置決めされるべき各種時計要素の配設・支持に適する凹凸や表面形状を備える。地板１０は、３時側の位置に巻真案内孔１１ａを備えた側壁１１（図２）を有すると共に、−Ｚ側表面１０ａに突設された水晶発振器筐体（水晶缶）受突起部１１ｆ及びフレキシブル回路基板載置用突出部１１ｇ並びに該表面１０ａに形成されたつづみ車受容凹部１１ｈや側壁１１等により周壁の一部が規定された電池収容凹部１１ｂ等を備える。フレキシブル回路基板載置用突出部１１ｇは、図５の（ｅ）に関して後述するように、水晶発振器筐体（水晶缶）端面受側壁部１１ｃを備える。なお、地板１０の表面１０ａのうち中心軸線Ｃからみて時針のほぼ５時の方向には、更に、リセットピン３２が植設されている。リセットピン３２の位置は、後述する回路基板３４などの配置や形状次第では、他の位置でもよい。
【００１７】
地板１０の巻真案内孔１１ａを貫通する巻真２０は、基端側の大径軸部２１に加えて、先端の角柱状係合軸部２２、中間の円柱状中径軸部２３、軸部２２，２３間の円柱状小径軸部２４、Ａ１，Ａ２方向の両側が小径軸部２５，２６で規定されたそろばん玉状部２７を備え、つづみ車２８に嵌合されている。基端側の中径穴部及び先端（奥）側の角筒状穴部を備えたつづみ車２８は、つづみ車受容凹部１１ｈ内に位置し、軸部２２，２４，２３の間において巻真２０に嵌合されている。巻真２０がＡ２方向に押込まれた０段位置（通常位置）にある場合には、つづみ車２８の中径穴部及び角筒状穴部が夫々巻真２０の中径軸部２３及び小径軸部２４に回転自在に嵌合される。一方、巻真２０がＡ１方向に一段引出された一段目位置（引出位置）にある場合には、つづみ車２８の角筒状穴部が巻真２０の先端の角柱状係合軸部２２に係合されて、巻真２０のＢ方向の回転に応じてつづみ車２８が回転される。つづみ車２８は先端の歯車部２８ａで八番歯車１５ｆに噛合されている。
【００１８】
輪列機構３は、図１及び図２からわかるように、地板１０と該地板１０に対して−Ｚ方向に間隔をおいて位置する輪列受１４の部分との間に位置する表側輪列１５と地板１０の＋Ｚ側に位置する裏側輪列１６とを含む。輪列受１４は、地板１０と同様に機枠の一部とみなし得る。表側輪列１５は、六番車１５ａ、五番車１５ｂ、四番車（秒車）１５ｃ、三番車１５ｄ、二番車（分車）１５ｅ、及び八番歯車１５ｆを含み、裏側輪列１６は、筒車（時車）１６ａ及び八番かな１６ｂを含む。八番車（日の裏車）１７の軸ないし胴は、地板１０をＺ方向に貫通して延び、表輪列１５の側に八番歯車１５ｆが設けられ、裏側輪列１６の側に八番かな１６ｂが設けられている。三番車１５ｄの軸のうち地板１０に近接した側の軸部は、後述するリセットレバー６０の軸受孔６６ａに嵌合される。
【００１９】
図１において、地板１０の表面１０ａのうち巻真２０とは反対側すなわち９時側の位置には、Ｙ方向に細長いモータ４が配置されている。図１において、巻真２０及びモータ４の右側においては、周壁の一部が規定された電池収容凹部１１ｂに、ボタン型電池５が配置される。また、図１において、巻真２０及びモータ４の左側には、時計用ＩＣ（集積回路）３３が実装されたフレキシブル回路基板３４及び水晶発振器３０を含む回路ブロック６が配置されている。基板３４には、所望に応じて、ＩＣ３３以外の回路部品も実装される。
【００２０】
モータ４は、ステータ４ａ及びコイルブロック４ｂ並びにロータ４ｃを含み、ロータ４ｃの軸には、六番車１５ａを構成するロータかなが形成されている。モータ４のコイルブロック４ｂは、巻線の延設部４ｄでフレキシブル回路基板３４に電気的に接続されている。
【００２１】
３６ａ，３６ｂは、ステータ４ａとコイルブロック４ｂとを機械的に一体的に結合する連結部である。連結部３６ａのところでは回路基板３４がモータ４に固定され、連結部３６ｂのところでは電池マイナス端子７がモータ４に固定されている。連結部３６ａ，３６ｂは中央に開口を備え、該開口に地板１０から突設された突起が嵌合され熱カシメされて、モータ４や回路基板３４等の全体が地板１０に固定されている。電池マイナス端子７は、地板１０の表面１０ａに沿って、電池５の＋Ｚ側に延び、地板１０の表面１０ａ上に載置される電池５の端面の負極５ａ（図３の（ａ））に接触する。電池マイナス端子７は、モータ４（例えば、ステータ部材４ａやコイルブロック４ｂの巻線に対して絶縁された巻芯等）を介して回路基板３４に電気的に接続され、回路基板３４に電池５のマイナス電位を与える。すなわち、モータ４の部品の導電性部分自体が、電池マイナス端子７と協働して、電源のマイナス側の給電線になっている。
【００２２】
モータ４のロータ４ｃの軸部の−Ｚ側端部は輪列受１４に回転自在に支持される。モータ４の大径のコイルブロック４ｂは、−Ｚ方向に突出し、輪列受１４の対応する切欠ないし開口（図示せず）内に遊嵌されても、輪列受１４で押えられてもよい。同様に、−Ｚ方向に高さの高い電池５も、輪列受１４の対応する電池着脱用開口（図示せず）内に遊嵌される。電池５の寿命の範囲内での使用を前提とする場合、電池５を輪列受１４で押さえつけるようにしてもよい。
【００２３】
回路ブロック６のフレキシブル回路基板３４の＋Ｚ側表面のうち時計本体２の中心側側縁には、リセットピン接続用導電パッド部３５ａが形成され、フレキシブル回路基板３４が、図示の例では該基板３４と実際上同一の平面形状の地板突出部１１ｇ上に載置された際、導電パッド部３５ａがリセットピン３２の−Ｚ側端面（頂面）に丁度当接する。なお、突出部１１ｇは、フレキシブル回路基板３４を所望の安定性で支え得る限り、当然ながら、その形状は、フレキシブル回路基板３４とは異なっていてもよい。なお、輪列受１４を取付けた状態では、輪列受１４が回路基板３４の導電パッド部３５ａをリセットピン３２の頂面に押付ける。但し、リセットピン３２と回路基板３４との電気的接続は、異なる形態で実現されてもよい。
【００２４】
回路ブロック６には、更に、導電パターン３５ｂ，３５ｃ，３５ｄが形成され、導電パターン３５ｄには接続端子片部３５ｅが取付けられている。導電パターン３５ｄは、時計用ＩＣ３３の電源電圧（電位）Ｖｄｄの給電用端子に接続され、導電パターン３５ｂ，３５ｃは、水晶発振器３０の端子に接続されている。導電パターン３５ｂ，３５ｃには、水晶発振器３０の一対の接続ピンなし接続端子部３０ａ，３０ｂが、半田付により、電気接続され固定されている。基端で導電パターン３５ｄに電気接続された接続端子片部３５ｅは、地板１０の表面１０ａに沿って延び、該地板１０の表面１０ａ上に載置された水晶発振器３０の筐体としての導電性の缶すなわち水晶缶３１の基端部３１ａの周面の＋Ｚ側部分に接触する。なお、水晶発振器本体３１の基部側端面３１ｄは、地板１０のフレキシブル回路基板載置突起部１１ｇの水晶発振器筐体（水晶缶）端面受側壁部（側面部）１１ｃに当接している（図５の（ｅ））。
【００２５】
輪列受１４には係合部としての溝１８（図２）が形成され、該溝１８には、板状保持構造体としての金属製の板バネ構造体５０が係止されている。板バネ構造体５０の主面ないし表面は、図１及び図２に加えて図３及び図４に示したように、ＸＹ平面に対して直角である。すなわち、板バネ構造体５０の各部の主面に対する法線は、主面の向きに係らず、ＸＹ平面と平行な面内に位置する。
【００２６】
板バネ構造体５０は、図１、図３及び図４からわかるように、時計本体２に沿って、概ねＹ方向に延在した本体部５１を有する。板バネ本体部５１は、Ｙ方向に延びた中央部５２と、中央部５２の＋Ｙ方向端部から該中央部５２に対して鈍角で斜め方向に−Ｘ側に延び先端が電池５のプラス電極５ｂをなす周面に弾性的に圧接される電池押え部としての電池プラス電極接点端子部５３と、中央部５２の−Ｙ方向端部から該中央部５２に対して鈍角で斜め方向に−Ｘ側に延び先端が水晶発振器筐体としての水晶缶３１の先端部３１ｂの側縁３１ｃに弾性的に圧接される発振器筐体押え部としての水晶缶接点端子部５４とを備える。板バネ構造体５０は、例えば、厚さが０．１５〜０．２ｍｍ程度のステンレス合金板からなる。勿論、厚さや材料は異なっていてもよい。
【００２７】
電池プラス電極接点端子部５３は、中央部５２の＋Ｙ方向端部から該中央部５２に対して鈍角で斜め方向に−Ｘ側に延びた傾斜腕部５３ａと、該傾斜腕部５３ａの先端から更に鈍角で斜めに−Ｘ側に延びた電池プラス電極接点部５３ｂとを含み、電池プラス電極接点部５３ｂの先端部で電池プラス電極５ｂに圧接される。接点部５３ｂの中央部５２に対する折曲角は、全体として、９０度よりも小さい。この例では、中央部５２は、＋Ｙ方向端部の近傍においてＺ方向に幅広になっており、電池プラス電極接点端子部５３は、−Ｚ側の側縁５３ｃが部分的に切欠かれている。なお、電池プラス電極接点端子部５３の先端の接点部５３ｂは、−Ｚ方向に立上り該立上り端部から更に前方に真直ぐ延びた先端部５３ｄを備えることにより（図３の（ａ））、電池プラス電極５ｂに対して広い接触領域を確保している。
【００２８】
水晶缶接点端子部５４は、細い腕部５４ａと該腕部５４ａの先端部にＺ方向に幅広に形成された水晶缶接点部５４ｂとを備え、該接点部５４ｂで水晶缶３１の先端部３１ｂの側縁３１ｃに圧接される。
【００２９】
従って、板バネ構造体５０は、電池プラス電極接点端子部５３で電池５のプラス電極５ｂに接触し、水晶缶接点端子部５４で水晶缶３１に接触することにより、接続端子片部３５ｅ及び給電線としての導電パターン３５ｄを介して、ＩＣ３３の電源端子に、電池５のプラス電極５ｂの電圧（電位）を直接与える電池プラス端子として機能する。以上において、給電機構９は、板バネ構造体５０と接続端子片部３５ｅとからなる。
【００３０】
この場合、水晶缶３１自体が導電路として利用されるので、電池５の正極５ｂと回路基板３４の電源端子３５ｄとを直接的に電池プラス端子で接続する場合と比較して、実際上水晶缶３１の長さ分だけ板バネ構造体５０の長さを短くし得る。なお、輪列のある輪列機構部３のところに電池プラス端子のパスを確保しようとすると、各種部品のレイアウトの自由度が低下するだけでなく、電池プラス端子を複雑な平面形状や複雑な折曲形状にすることが必要になってしまうのに対して、この場合、板バネ構造体５０は、比較的単純な形状で足りる。
【００３１】
なお、以上のような構造・形状を有する板バネ構造体５０は、中央部５２に対して、全体として９０度以下で且つ一方向の折曲げによって形成されるので、その折曲金型の形成及び折曲動作が最低限のコスト及び時間で行われ得る。
【００３２】
図３に示したように、板バネ構造体５０は、中央部５２の中心領域５２ａで輪列受１４の係合部１８の突起部１８ａの溝１８ｂ（図３の（ａ）及び（ｃ））に嵌込まれると共に、中央部５２の−Ｚ側の側縁に形成された突出部５２ｂで輪列受１４の開口部１８ｃ（図３の（ａ）及び（ｂ））に嵌め込まれる。なお、図３の（ｃ）に示したように輪列受１４の突起部１８ａに板バネ構造体５０の挿設用の溝１８ｂが形成される代わりに、図３の（ｄ）に示したように、狭い直線状通路を形成するように輪列受１４に複数の突起部１８ｄ，１８ｅ，１８ｆをジグザグに形成しておいて、板バネ構造体５０の一部の部分（例えば中央部分５２）を該突起部１８ｄ，１８ｅ，１８ｆの間を縫うように該突起部１８ｄ，１８ｅ，１８ｆ間に挿設することによって、板バネ構造体５０を支持するようにしてもよい。突起部は、図３の（ｄ）に示した如く、板バネ構造体５０に線接触（図３の（ｄ）の平面では点接触）するような横断面形状でも、図３の（ｃ）の溝１８ｂを構成する側壁ないし突起部１８ａの如く面接触（図３の（ｃ）の平面では線接触）するような形状でもよい。板バネ構造体５０の図３の（ａ），（ｃ），（ｄ）に示したような支持は、輪列受１４の代わりに地板１０によって行っても、輪列受１４と地板１０との両方で行ってもよい。これらの突起部１８ｄ，１８ｅ，１８ｆは、輪列受１４や地板１０の母材を構成する樹脂材の代わりに、輪列受１４や地板１０に突設した金属製のピンでもよい。板バネ構造体５０は、溝部１８ｂ内や突起部１８ｄ，１８ｅ，１８ｆ間に、遊嵌されていても、実際上ガタなく支持されていてもよい。
【００３３】
この板バネ構造体５０は、全体としてＹ方向に延び、Ｚ方向に幅を備えた板バネからなるので、Ｘ−Ｙ平面内で占有する面積が最低限に抑えられ得る。また、溝部１８ｂ等に挿設し両端の端子部５３，５４を電池５及び水晶発振器筐体３１に圧接させるように係止するだけで溝部１８ｂの側壁等を実際上支点として保持され得、ネジ止めやカシメ等の固定構造を要しないので、該保持に要するスペースも最低限に抑えられ得る。なお、次に説明する巻真係合バネ部５７も一応支点としての役割を果たし得る。
【００３４】
板バネ構造体５０は、更に、＋Ｚ側の側縁部から突出したリセットレバー偏倚バネ部５６と、巻真係合バネ部５７とを有する。巻真係合バネ部５７は、本体部５１から＋Ｚ方向に延びた基部側腕部５７ａと、該基部側腕部５７ａの延在端から＋Ｙ方向に延びた先端側腕部５７ｂと、該腕部５７ｂの先端から延設された円弧状係合部５７ｃとを含み、該円弧状係合部５７ｃで巻真２０のソロバン玉状部２７の近傍の小径部２５又は２６に弾性的に係合される。
【００３５】
板バネ構造体５０は、図１及び図３からわかるように、中央部５２で輪列受１４の係合部１８に係合されて該輪列受１４によって支持され、＋Ｙ方向端部に位置する電池プラス電極接点端子部５３が電池５の正極５ｂの周面にＤ方向に弾性的に圧接され、−Ｙ方向端部に位置する水晶缶接点端子部５４が、地板１０の水晶発振器筐体受突起部１１ｆ及び水晶発振器筐体（水晶缶）端面受側壁部（側面部）１１ｃで支持された水晶缶３１の先端部３１ｂの側縁３１ｃにＥ方向に弾性的に圧接される。従って、板バネ構造体５０は、輪列受１４の係合部１８を支点として、電池５及び水晶発振器３０を弾性的に押え付け得るから、サイズが他の部品と比較して大きく載置安定性が悪くなり易い電池５及び水晶発振器３０の両方を同時に安定に位置決め固定し得る。また、板バネ構造体５０は、一端で電池５に大きな接触圧で接触すると共に他端で水晶発振器３０の水晶缶３１に大きな接触圧で接触しているので、電池５のプラス電位を水晶缶３１に確実に伝え得る。しかも、水晶缶３１は、接点端子片部３５ｅ及び導電パターン３５ｄを介して回路ブロック６のＩＣ３３の電源電圧給電端子に接続されているので、水晶発振器３０の筐体すなわち水晶缶３１を電源電圧の供給に直接利用し得る。水晶発振器筐体部ないし水晶缶３１は電子時計１の本体部２の中で大きな体積ないし面積を占めるので、電池プラス端子の長さを最低限に抑え得る。
【００３６】
バネ構造体５０は、また、巻真係合バネ部５７の円弧状係合部５７ｃにおいて、巻真２０のソロバン玉状部２７の両側の小径部２５，２６に係合され、巻真２０に対してＦ１方向の弾性力を及ぼしているので、小径部２５や２６で該バネ部５７に弾性的に係合された巻真２０をＡ１，Ａ２方向に位置ずれすることなく安定に、弾性的に保持し巻真２０を位置決めし得る。また、バネ部５７と小径部２５や２６との係合が弾性的な係合であるので、例えば、巻真２０が０段位置にありバネ部５７の円弧状係合部５７ｃが巻真２０の小径部２５に係合されている際に該巻真２０をＡ１方向に引出す場合、小径部２５よりも大径のソロバン玉状部２７によってバネ部５７の円弧状係合部５７ｃをＦ２方向に押し下げるように弾性変形させて該ソロバン玉状部２７をＡ１方向に移動させることになる。ソロバン玉状部２７がバネ部５７をＡ１方向に通過すると、バネ部５７の円弧状係合部５７ｃが弾性復元力により再度Ｆ１方向に変形されて小径部２６に嵌り込む。これにより、巻真２０のＡ１方向の引出しに際して、バネ構造体５０のバネ部５７がソロバン玉状部２７と協働してクリック感を与え得る。巻真２０を巻真１段目から巻真０段目にＡ２方向に押込む際にも、バネ部５７の係合部５７ｃが、小径部２６からソロバン玉状部２７の最大径部の通過を許容するように変形された後で小径部２５に嵌り込むことになるので、同様なクリック感が得られる。
【００３７】
なお、以上のようなバネ部５７の支持に際して、バネ構造体５０は、輪列受１４の係合部１８によって保持されているだけでなく、電池５及び水晶缶３１を両端部５３，５４で弾性的に押える反作用として電池５及び水晶缶３１により両端バネ部５３，５４を介して支えられることになるから、安定に保持された状態で、巻真２０の支持が安定化され得る。また、巻真係合バネ部５７の腕部５７ａ，５７ｂがＹ方向に大きく変形されるのを避けるべく、間隙を介して腕部５７ａ，５７ｂを挟むように腕部腕部５７ａ，５７ｂの＋Ｙ側及び−Ｙ側に規制壁部を形成しておいてもよい。該規制壁部は、係合部１８等の一部であってもよい。
【００３８】
なお、所望ならば、地板１０の表面１０ａに−Ｚ方向に突出する突起部を形成しておいて、バネ構造体５０の中央部５２の＋Ｚ側の側縁部５２ｄ（図３）を、該突起部で支えるようにしておいてもよい。その場合、中央部５２の＋Ｚ方向への変位を確実に禁止し得るので、バネ部５７が確実にクリック感を付与し得る。
【００３９】
電子時計１は、更に、リセットレバー本体部としてのリセットレバー６０を備える。リセットレバー６０は、この例では、全体としてタツノオトシゴのような形状の板金打抜き体からなる板状部６０ａと、該板状部６０ａを地板１０に対して中央部の回転中心軸線Ｃ１のまわりで回転可能に支える軸部６０ｂとを備える。軸部６０ｂが地板１０の軸受穴に回転自在に支持されていても、軸部６０ｂに対して、板状部６０ａが回転自在であってもよい。軸部６０ｂは、更に地板１０で支えられていても、地板１０の代わりに、輪列受１４で支えられていてもよい。
【００４０】
リセットレバー板状部６０ａは、回転中心軸線Ｃ１を含む領域に拡がった中心ボス部ないし肥大部６１から巻真２０の先端のところまで延びたＬ字状腕部６２と、ボス部６１からＸ方向に突出しバネ部５６に係合するバネ受部ないし係合突起部６３と、ボス部６１からほぼ−Ｘ方向に延びた上下方向腕部６４と、該上下方向腕部６４のうち電池５を避けつつやや斜めに延びた延在端からほぼ−Ｙ方向に延びた横方向腕部６５と、該腕部６５の先端に形成された三番車軸受用肥大部ないしボス部６６と、該ボス部６６からリセットピン３２のところまで斜めに延びたリセット端子部６７とを有する。以上において、ボス部６１並びにＬ字状腕部６２及び係合突起部６３が入力側レバー部６８を構成し、腕部６４，６５，６７及びボス部６６が出力側レバー部６９を構成する。また、以上において、リセットレバー装置８は、リセットレバー６０と、板バネ構造体５０のバネ部５６とからなる。
【００４１】
巻真２０がＡ２方向に押込まれた巻真０段目Ｐ０にある場合、リセットレバー６０のＬ字状腕部６２の先端側の位置検出腕部６２ａの側縁６２ｂが巻真２０の先端面２９よりＡ２方向に押される。Ｌ字状腕部６２は、巻真２０に過大なＡ１方向反力が働くのを避けるべく、典型的には多少撓み得るけれども、板バネ構造体５０のリセットレバー偏倚バネ部５６よりもはるかに高い剛性を有し、バネ部５６と比較する限り、実質的に剛体とみなしてもよい。
【００４２】
巻真２０がＡ２方向に押込まれた巻真０段目Ｐ０にある場合、リセットレバー６０のバネ受部ないし係合突起部６３が板バネ構造体５０のリセットレバー偏倚バネ部５６の先端部５６ａの＋Ｙ側の側縁５６ｂに対して−Ｙ方向に押付けられ、リセットレバー偏倚バネ部５６の先端部５６ａをＧ１方向にずらすように偏倚バネ部５６を弾性変形させる（図３の実線）。
【００４３】
従って、巻真２０が巻真０段目にある場合、リセットレバー６０は、図６に示したように、非リセット位置Ｈ１を採る。即ち、巻真２０が巻真０段目にある場合、入力側レバー部６８が、巻真２０の先端面２９によるＡ２方向の押圧力の作用下でＪ１方向に回動変位され、板バネ構造体５０のバネ部５６をＧ１方向に押す。リセットレバー６０の出力側レバー部６９もＪ１方向に回動変位され、リセット端子部６７は、その先端の側縁６７ａがリセットピン３２から離れた非リセット位置Ｋ１を採る。なお、リセットレバー６０が非リセット位置Ｈ１を採る場合、三番車支持軸受部６６ａが係合位置Ｌ１を採り、三番車１５ｄが二番車１５ｅと噛合して四番車１５ｃの回転を二番車１５ｅに伝達する。
【００４４】
一方、図７に示したように、巻真２０がＡ１方向に引出されて巻真１段目位置Ｐ１を採ると、巻真２０の先端面２９がＡ１方向に移動して、リセットレバー６０のＬ字状腕部６２の位置検出腕部６２ａの側縁６２ｂから離れる。入力側レバー部６８に対するＪ１方向の回動変位力の解除に伴い、入力側レバー部６８は、板バネ構造体５０のバネ部５６が突起部６３に及ぼすＧ２方向の弾性復元力により、中心軸線Ｃ１のまわりで、Ｊ２方向に回動される。従って、出力側レバー部６９もＪ２方向に回動変位されて、リセット端子部６７が先端の側縁部６７ａでリセットピン３２に押付けられる。即ち、巻真２０がＡ１方向に引出されて巻真１段目位置Ｐ１を採ると、リセットレバー６０がリセット位置Ｈ２を採り、リセット端子部６７がリセットピン３２に当接するリセット位置Ｋ２に設定される。その結果、回路ブロック６からモータ４への駆動用信号の供給が停止され、モータ４の回転が停止され、秒針１３ｃの回転が停止される。なお、リセットレバー６０がリセット位置Ｋ２を採ると、三番車支持軸受部６６ａは、非係合位置Ｌ２を採り、三番車１５ｄと二番車１５ｅとの噛合が解除され、二番車（分車）１５ｅの回転が四番車（秒車）１５ｃに伝達されなくなる。なお、三番車支持軸受部６６ａによる変位により、三番車１５ｄと二番車１５ｅとの噛合が解除されるようにする代わりに、三番車１５ｄと四番車１５ｃとの噛合が解除されるようになっていてもよい。
【００４５】
三番車１５ｄと二番車１５ｅとの噛合が解除されると、針回しのための巻真２０の回転が、つづみ車２８から日の裏車１７を介して筒車（時車）１６ａ及び二番車（分車）１５ｅに伝達されても、四番車（秒車）１５ｃには回転が伝達されないので、秒針１３ｃを止めた状態で分針１３ｂ及び時針１３ａの針合せが行われ得る。
【００４６】
なお、水晶発振器筐体（水晶缶）３１の側面の支持を、図５の（ａ）に示したように地板１０の水晶発振器筐体受突起部１１ｆのみによって行う代わりに、図５の（ｂ）に示したように、輪列受１４にも該突起部１１ｆと同様な突起部１４ａを形成しておいて、該突起部１４ａでも水晶発振器筐体３１の側面を支えるようにしてもよい。例えば、板バネ構造体５０のＺ方向の位置が地板１０の表面１０ａのうち隣接表面部分から比較的離れて位置するような場合には、このような支持により、水晶缶３１が安定に保持され易くなる。また、図５の（ｄ）に示したように、輪列受１４が庇状受部７３を備え、該庇状受部７３で水晶缶３１の側面を積極的に受けるようにしてもよい。更に、板バネ５０による押圧力が働いていない状態でも水晶発振器本体３１が地板１０の水晶発振器筐体受突起部１１ｆの近傍に安定に載置されるようにするためには、該発振器本体３１を載置する凹部を地板１０の表面１０ａに形成すべく、図５の（ｃ）に示したように、水晶発振器筐体受突起部１１ｆに対して対向する側壁部１１ｄを更に形成しておいてもよい。
【００４７】
また、板状保持構造体たる板バネ構造体としては、発振器筐体押え部としての水晶缶接点端子部及び電池押え部としての電池プラス電極接点端子部において、水晶缶３１及び電池５の正極５ｂに圧接され得る限り、その形状が異なっていてもよい。図８には、そのような一変形例が示されている。図８に示した変形例において、図１と同様な部材や部位や要素には同一の符号が付され、変更されているものについては、同一の符号の最後に添字Ｗが付されている。
【００４８】
図８に示した電子時計１Ｗの板状保持構造体としての板バネ構造体５０Ｗでは、発振器筐体押え部としての水晶缶接点端子部５４Ｗが中央部分５２に対して大きく折り曲げられて先端の接点部５４ｂＷが水晶缶３１に押付けれている。また、板バネ構造体５０Ｗは、中央部分５２のうち水晶缶接点端子部５４Ｗの近傍において、機枠１０又は１４に植設されたピン７１，７２によって支持されている。この例では、両端の接点端子部５４Ｗ，５３において水晶缶３１及び電池５に圧接された状態において、ピン７２が支点として働く。ピン７１，７２の位置や数は異なっていてもよい。
【００４９】
また、図８の電子時計１Ｗでは、（ａ）に加えて（ｂ）からわかるように、輪列受１４が庇状受部７３を備え、該庇状受部７３で水晶缶３１の側面を受けている。なお、図８の（ｂ）は、図５の（ｄ）に対応する。
【００５０】
以上のように構成された電子時計１Ｗにおいて、板バネ構造体５０Ｗが、図１等に示した板バネ構造体５０と同様に機能し得ることは、明らかであろう。板バネ構造体５０Ｗは、リセットレバー偏倚バネ部５６や巻真係合バネ部５７を備えていても備えていなくてもよい。
【図面の簡単な説明】
【００５１】
【図１】本発明の好ましい一実施例の板状保持構造体としての板バネ構造体を備えた本発明の好ましい一実施例の電子時計の本体部の平面説明図（輪列受を取除いた状態）。
【図２】図１のＩＩ−ＩＩ線断面説明図。
【図３】板バネ構造体の配設を示したもので、（ａ）は図１のＩＩＩＡ−ＩＩＩＡ線断面説明図、（ｂ）は（ａ）のＩＩＩＢ線方向に見た一部の平面説明図、（ｃ）は（ａ）のＩＩＩＣ−ＩＩＩＣ線断面説明図、（ｄ）は（ｃ）の変形例についての（ｃ）と同様な断面説明図。
【図４】図１の板バネ構造体の斜視説明図。
【図５】図１の水晶発振器筐体の支持状態を示したもので、（ａ）は図１のＶＡ−ＶＡ線断面説明図、（ｂ）は（ａ）の変形例についての（ａ）と同様な断面説明図、（ｃ）は（ａ）の別の変形例についての（ａ）と同様な断面説明図、（ｄ）は（ａ）の更に別の変形例についての（ａ）と同様な断面説明図、（ｅ）は図１のＶＥ−ＶＥ線断面説明図。
【図６】図１の電子時計が非リセット状態にある際の平面説明図。
【図７】図１の電子時計がリセット状態にある際の平面説明図。
【図８】図１の電子時計の変形例を示したもので、（ａ）輪列などを省いた状態で示した図１と同様な平面説明図、（ｂ）は（ａ）のＶＩＩＩＢ−ＶＩＩＩＢ線断面説明図。
【符号の説明】
【００５２】
１，１Ｗ  電子時計
２，２Ｗ  時計本体
３  輪列機構
４  モータ    ４ａ  ステータ    ４ｂ  コイルブロック    ４ｃ  ロータ
５  ボタン型電池    ５ａ  負極    ５ｂ  正極
７  電池マイナス端子
８  リセットレバー装置
９  給電機構
１０  地板    １０ａ  地板表面
１１  側壁    １１ａ  巻真案内孔    １１ｂ  電池収容凹部    １１ｃ  水晶発振器筐体（水晶缶）端面受側壁部（側面部）    １１ｄ  側壁部    １１ｆ  水晶発振器筐体受突起部    １１ｇ  フレキシブル回路基板載置突起部    １１ｈ  つづみ車受容凹部
１３  時刻表示針    １３ａ  時針    １３ｂ  分針    １３ｃ  秒針
１４  輪列受
１５  表側輪列    １５ａ  六番車    １５ｂ  五番車    １５ｃ  四番車    １５ｄ  三番車    １５ｅ  二番車    １５ｆ  八番歯車（日の裏歯車）
１６  裏側輪列    １６ａ  筒車（時車）    １６ｂ  八番かな（日の裏かな）
１７  八番車（日の裏車）
１８  係合部    １８ａ  突起部    １８ｂ  溝    １８ｃ  開口部    １８ｄ，１８ｅ，１８ｆ  突起部
２０  巻真
２１  大径軸部
２２  角柱状係合軸部
２３  中径軸部
２４  小径軸部
２５，２６  小径軸部
２７  ソロバン玉状部
２８  つづみ車
２９  先端面
３０  水晶発振器    ３０ａ，３０ｂ  接続端子部
３１  筐体（水晶缶）    ３１ａ  基端側部分    ３１ｂ  先端部    ３１ｃ  側縁
３２  リセットピン
３３  時計用ＩＣ（集積回路）
３４  フレキシブル回路基板
３５ａ  リセットピン接続用導電パッド部    ３５，３５ｃ，３５ｄ  導電パターン
３５ｅ  接続端子片部
３６ａ，３６ｂ  連結部
５０，５０Ｗ  板バネ構造体
５１  板バネ本体部
５２  中央部    ５２ａ  中心領域    ５２ｂ  突出部    ５２ｄ  側縁
５３  電池プラス電極接点端子部    ５３ａ  傾斜端部    ５３ｂ  接点部    ５３ｄ    先端部
５４，５４Ｗ  水晶缶接点端子部    ５４ａ  腕部    ５４ｂ，５４ｂＷ  接点部
５６  リセットレバー偏倚バネ部
５７  巻真係合バネ部    ５７ａ  基部側腕部    ５７ｂ  先端側腕部    ５７ｃ  円弧状係合部
６０  リセットレバー    ６０ａ  板状部    ６０ｂ  軸部
６１  中心ボス部（肥大部）
６２  Ｌ字状腕部    ６２ａ  位置検出腕部    ６２ｂ  側縁
６３  係合突起部
６４  上下方向腕部
６５  横方向腕部
６６  ボス部（肥大部）    ６６ａ  三番車軸受部
６７  リセット端子部
６８  入力側腕部
６９  出力側腕部
７１，７２  ピン
７３  庇状受部
Ａ１，Ａ２  巻真出入方向
Ｂ  巻真回転方向
Ｃ，Ｃ１  回転中心軸線
Ｄ，Ｅ  板バネ構造体の両端のバネ部の力の方向
Ｆ１，Ｆ２  巻真係合バネ部の力又は変位の方向
Ｇ１，Ｇ２  リセットレバー偏倚バネ部の力又は変位の方向
Ｈ１，Ｈ２  リセットレバーの非リセット位置及びリセット位置
Ｊ１，Ｊ２  リセットレバーの回動方向
Ｋ１，Ｋ２  リセットレバーのリセット端子の非リセット位置及びリセット位置
Ｌ１，Ｌ２  リセットレバーの三番車軸受部の非リセット位置及びリセット位置
Ｐ０  巻真０段目
Ｐ１  巻真１段目
Ｘ，Ｙ，Ｚ  方向
【図１】
2006184240.tif 000003
【図２】
2006184240.tif 000004
【図３】
2006184240.tif 000005
【図４】
2006184240.tif 000006
【図５】
2006184240.tif 000007
【図６】
2006184240.tif 000008
【図７】
2006184240.tif 000009
【図８】
2006184240.tif 000010